(57)【要約】【課題】簡易な構造でコストを抑えた、パルス電源の逆極性電気誘導エネルギーの発生回路を提供する。【解決手段】電源ＰＰＳ１０１の電気エネルギーを入力するときに、直流電源は直接に、負荷ＬＤ１０１へ伝送し、変圧装置Ｔ１０１のプライマリーコイルＷＰは安定的に抵抗性のインピーダンス状態まで励起させる。そのときに、変圧装置Ｔ１０１のセカンダリーコイルＷＳには選択的に、電流の制限抵抗Ｒ１０１を設置して、共同に常態の磁気励起電流を通過する。直流パルス電源ＰＰＳ１０１の電気エネルギーが小さくなり又は切断されるときに、変圧装置Ｔ１０１のセカンダリーコイルＷＳは瞬間的に、逆極性電気誘導エネルギーを負荷ＬＤ１０１へ伝送し、コストを下げ、信頼性を向上させる。【選択図】　　図１
2004147476.tif 000002
【特許請求の範囲】
【請求項１】
パルス電源の逆極性電気誘導エネルギーの発生回路であって、直流パルス電源を送り入れる時に、変圧装置や負荷に並列または直列に接続されたインダクターや負荷に並列または直列配列されたＬＣの並列装置を経由して、入力の直流パルスエネルギーが中断している際に、瞬間的に、逆極性電気誘導エネルギーを負荷へ伝送することを特徴とするパルス電源の逆極性電気誘導エネルギーの発生回路。
【請求項２】
変圧装置のプライマリーコイルを直流パルス電源に直列接続して構成される回路として、
直流パルス電源（ＰＰＳ１０１）は交流で整流して、または直流電源をリニアにスイッチユニットで操作し制御して、パルス電源を発生させ、
変圧装置（Ｔ１０１）はコイルの巻きまたは積層で作られる、プライマリーコイル（ＷＰ）及びセカンダリーコイル（ＷＳ）を含み、コーアを備える、またはコーアを備えない変圧装置であり、そのプライマリーコイル（ＷＰ）はまず電源に直列接続し、セカンダリーコイル（ＷＳ）は必要に応じて、電流の制限抵抗（Ｒ１０１）を選択し設置したあとで、直流パルス電源（ＰＰＳ１０１）及びプライマリーコイル（ＷＰ）と直列に接続した電源の両端に並列配置され、または、セカンダリーコイル（ＷＳ）を直流パルス電源（ＰＰＳ１０１）に並列接続したあとで、プライマリーコイル（ＷＰ）に直列接続して、負荷へ接続し、前記変圧装置（Ｔ１０１）のプライマリーコイル（ＷＰ）とセカンダリーコイル（ＷＳ）との極性関係は直流エネルギーが減るまたは切断するときに、負荷側に逆極性電気誘導エネルギーを発生させ、
負荷（ＬＤ１０１）は充電及び放電可能な二次電池から構成する負荷やめっきタンク、電解加工電極及びワークから構成する負荷やパルス電源が必要であって、電源切断時または電気エネルギーが減るときに、逆極性エネルギーを入力することが必要な別の様々な負荷であり、
導電の接点またはプラグと挿し込みコンセントとの組み合わせ（Ｐ０）は、機電構造を構成する導電の接点またはプラグと挿し込みコンセントとの組み合わせであって、必要に応じて、設置するか否かを選択するユニットであり、一端が電源側の充電電源及び相関回路に接続され、相対にカップリングしたもう一端が負荷側に接続され、
阻隔ダイオード（ＣＲ１０１）はソリッドステートダイオードから構成され、順方向のように、電源の入力端に直列接続させ、逆極性エネルギーが電源に入ることを防ぎ、必要により、設置する、あるいは設置しないことを選択可能であることを特徴とする請求項１記載のパルス電源の逆極性電気誘導エネルギーの発生回路。
【請求項３】
並列のインダクターを利用して構成する回路として、
直流パルス電源（ＰＰＳ１０１）は交流で整流して、または直流電源をリニアにスイッチユニットで操作し制御して、パルス電源を発生させ、
インダクター（Ｌ１０１）はコイルの巻きまたは積層で作られるコーアを備える、またはコーアを備えないインダクターから構成され、電源の両端に並列に配置され、インダクター（Ｌ１０１）は回路の必要性に応じて、選択的に、電流制限の抵抗（Ｒ１０１）を設置し、
負荷（ＬＤ１０１）は充電及び放電可能な二次電池から構成する負荷やめっきタンク、電解加工電極及びワークから構成する負荷やパルス電源が必要であって、電源切断時または電気エネルギーが減るときに、逆極性エネルギーを入力することが必要な別の様々な負荷であり、
導電の接点またはプラグと挿し込みコンセントとの組み合わせ（Ｐ０）は、機電構造を構成する導電の接点またはプラグと挿し込みコンセントとの組み合わせであり、必要に応じて、設置するか否かを選択するユニットであり、一端が電源側の充電電源及び相関回路に接続され、相対にカップリングしたもう一端が負荷側に接続され、
阻隔ダイオード（ＣＲ１０１）はソリッドステートダイオードから構成され、順方向のように、電源の入力端に直列接続させ、逆極性エネルギーが電源に入ることを防ぎ、必要により設置または設置しないことを選択可能であることを特徴とする請求項１記載のパルス電源の逆極性電気誘導エネルギーの発生回路。
【請求項４】
コンデンサーに並列に接続して構成する回路として、
直流パルス電源（ＰＰＳ１０１）は交流で整流して、または直流電源をリニアにスイッチユニットで操作し制御して、パルス電源を発生させ、
インダクター（Ｌ１０１）はコイルの巻きまたは積層で作られるコーアを備える、またはコーアを備えないインダクターから構成され、電源の両端に並列に配置され、インダクター（Ｌ１０１）は回路の必要に応じて、選択的に、電流制限の抵抗（Ｒ１０１）を設置し、
コンデンサー（Ｃ１０１）はインダクター（Ｌ１０１）に並列接続して、インダクター（Ｌ１０１）との相互作動で、パルス電源の周波に合わせて、インピーダンスを変化させ、
負荷（ＬＤ１０１）は充電及び放電可能な二次電池から構成する負荷やめっきタンク、電解加工電極及びワークから構成する負荷やパルス電源が必要であって、電源切断時または電気エネルギーが減るときに、逆極性エネルギーを入力することが必要な別の様々な負荷であり、
導電の接点またはプラグと挿し込みコンセントとの組み合わせ（Ｐ０）は、機電構造を構成する導電の接点またはプラグと挿し込みコンセントとの組み合わせであり、必要に応じて、設置するか否かを選択するユニットであり、一端が電源側の充電電源及び相関回路に接続され、相対にカップリングしたもう一端が負荷側に接続され、
阻隔ダイオード（ＣＲ１０１）はソリッドステートダイオードから構成され、順方向のように、電源の入力端に直列に接続させ、逆極性エネルギーが電源に入ることを防ぎ、必要により、設置する、または設置しないことを選択可能であることを特徴とする請求項３記載のパルス電源の逆極性電気誘導エネルギーの発生回路。
【請求項５】
インダクターを直列に接続して構成する回路として、
直流パルス電源（ＰＰＳ１０１）は交流で整流して、または直流電源をリニアにスイッチユニットで操作し制御して、パルス電源を発生させ、
インダクター（Ｌ１０１）はコイルの巻きまたは積層で作られる、コーアを備える、またはコーアを備えないインダクターから構成され、電源出力端と負荷との間に直列に接続され、
回流抵抗（Ｒ５００）は抵抗性ユニットから構成され、インダクター（Ｌ１０１）及び直流パルス電源（ＰＰＳ１０１）と接続したのちに、直流パルス電源（ＰＰＳ１０１）のプラス端と直流パルス電源（ＰＰＳ１０１）のマイナス端との間に並列に接続され、逆極性の電気エネルギーを通過させ、
阻隔ダイオード（ＣＲ１０１）はソリッドステートダイオードから構成され、順方向のように、電源の入力端に直列接続させ、逆極性エネルギーが電源に入ることを防ぎ、必要により、設置する、または設置しない選択が可能であり、
負荷（ＬＤ１０１）は充電及び放電可能な二次電池から構成する負荷やめっきタンク、電解加工電極及びワークから構成する負荷やパルス電源が必要であって、電源切断時または電気エネルギーが減るときに、逆極性エネルギーを入力することが必要な別の様々な負荷であり、
導電の接点またはプラグと挿し込みコンセントとの組み合わせ（Ｐ０）は、機電構造を構成する導電の接点またはプラグと挿し込みコンセントとの組み合わせであり、必要に応じて、設置するか否かを選択するユニットで、一端が電源側の充電電源及び相関回路に接続され、相対にカップリングしたもう一端が負荷側に接続されることを特徴とする請求項１記載のパルス電源の逆極性電気誘導エネルギーの発生回路。
【請求項６】
インダクター及びコンデンサーのＬＣ並列回路を直列に配置して構成する回路として、
直流パルス電源（ＰＰＳ１０１）は交流で整流して、または直流電源をリニアにスイッチユニットで操作し制御して、パルス電源を発生させ、
インダクター（Ｌ１０１）はコイルの巻きまたは積層で作られる、コーアを備える、またはコーアを備えないインダクターから構成され、電源出力端と負荷との間に直列に接続され、
コンデンサー（Ｃ１０１）はインダクター（Ｌ１０１）に並列に接続され、インダクター（Ｌ１０１）との相互作動で、パルス電源の周波につれて、インピーダンスを変化させ、
回流抵抗（Ｒ５００）は抵抗性ユニットから構成され、インダクター（Ｌ１０１）及び直流パルス電源（ＰＰＳ１０１）と接続したあとで、直流パルス電源（ＰＰＳ１０１）のプラス端と直流パルス電源（ＰＰＳ１０１）のマイナス端との間に並列に配置され、逆極性の電気エネルギーを通過させ、
阻隔ダイオード（ＣＲ１０１）はソリッドステートダイオードから構成され、順方向のように、電源の入力端に直列に接続させ、逆極性エネルギーが電源に入ることを防ぎ、必要により、設置する、または設置しないことを選択可能であり、
負荷（ＬＤ１０１）は充電及び放電可能な二次電池から構成する負荷やめっきタンク、電解加工電極大美ワークから構成する負荷やパルス電源が必要であって、電源切断時または電気エネルギーが減るときに、逆極性エネルギーを入力することが必要な別の様々な負荷であり、
導電の接点またはプラグと挿し込みコンセントとの組み合わせ（Ｐ０）は、機電構造を構成する導電の接点またはプラグと挿し込みコンセントとの組み合わせであり、必要に応じて、設置するか否かを選択するユニットであり、一端が電源側の充電電源及び相関回路に接続され、相対にカップリングしたもう一端が負荷側に接続されることを特徴とする請求項５記載のパルス電源の逆極性電気誘導エネルギーの発生回路。
【発明の詳細な説明】
【０００１】
【発明の属する技術分野】
本発明は、パルス電源の逆極性電気誘導エネルギーの発生回路に関する。
【０００２】
【従来の技術】
従来より、直流パルス電源の中断で、続いてくる逆極性電気誘導エネルギーを発生させる回路は通常、電源の極性をサイクルのように交換させる。
【０００３】
【発明が解決しようとする課題】
しかしながら、上述の従来の回路は複雑だけでなく、コストも格段に高い。
したがって、本発明の主な目的は、簡易な構造でコストを押さえた、パルス電源の逆極性電気誘導エネルギーの発生回路を提供することにある。
【０００４】
【課題を解決するための手段】
上述の目的を達成するための本発明の請求項１記載のパルス電源の逆極性電気誘導エネルギーの発生回路は、直流パルス電源を送り入れる時に、変圧装置や負荷に並列または直列に接続されたインダクターや負荷に並列または直列配列されたＬＣの並列装置を経由して、入力の直流パルスエネルギーが中断している際に、瞬間的に、逆極性電気誘導エネルギーを負荷へ伝送する。
【０００５】
【発明の実施の形態】
以下、本発明の実施例を図面に基づいて説明する。
図１は本発明の第１実施例による変圧装置のプライマリーコイルを直流パルス電源に直列に接続して構成される回路であり、主に次の要素から形成される。
直流パルス電源ＰＰＳ１０１は交流で整流して、または直流電源をリニアにスイッチユニットで操作、制御して、パルス電源を発生させる。
【０００６】
変圧装置Ｔ１０１はコイルの巻きまたは積層で作られる、プライマリーコイルＷＰ及びセカンダリーコイルＷＳを含むコーアを備える、またはコーアを備えない変圧装置である。プライマリーコイルＷＰはまず電源に直列に接続する。セカンダリーコイルＷＳは必要に応じて、電流の制限抵抗Ｒ１０１を選択、設置したあとで、直流パルス電源ＰＰＳ１０１とプライマリーコイルＷＰと直列に配置して形成した電源の両端に並列に接続する。
【０００７】
図２に示すのは本発明の第２実施例によるセカンダリーコイルＷＳをまず直流パルス電源に並列に接続する回路である。セカンダリーコイルＷＳを直流パルス電源ＰＰＳ１０１に並列に接続したあとで、プライマリーコイルＷＰに直列に配置して、負荷へ接続する。前述の変圧装置Ｔ１０１のプライマリーコイルＷＰとセカンダリーコイルＷＳとの極性関係は、直流エネルギーが減ってまたは切断するときに、負荷側に逆極性電気誘導エネルギーが出て来る。
【０００８】
負荷ＬＤ１０１は充電、放電可能な二次電池から構成する負荷やめっきタンク、電解加工電極とワークから構成する負荷やパルス電源が必要で、電源切断または電気エネルギーが減るときに、逆極性エネルギーを入力することも必要な別の様々な負荷である。
【０００９】
導電の接点またはプラグと挿し込みコンセントとの組み合わせＰ０は機電構造を構成する導電の接点またはプラグと挿し込みコンセントとの組み合わせである。それは必要に応じて、設置するかどうかを選択するユニットで、一端が電源側の充電電源及び相関回路に接続され、相対にカップリングしたもう一端が負荷側に接続される。
【００１０】
阻隔ダイオードＣＲ１０１はソリッドステートダイオードから構成される。順方向のように、電源の入力端に直列に接続させ、逆極性エネルギーが電源に入ることを防ぐ。このユニットは必要により、設置してもよいし、設置しなくてもよい。
【００１１】
図１及び図２に示す回路の操作プロセスは次のようになる。
電源ＰＰＳ１０１の電気エネルギーを入力するときに、直流電源は直接に、負荷へ伝送し、変圧装置Ｔ１０１のプライマリーコイルＷＰは安定的に抵抗性のインピーダンス状態まで励起させる。そのときに、変圧装置Ｔ１０１のセカンダリーコイルＷＳには選択的に、電流の制限抵抗Ｒ１０１を設置して、共同に常態の磁気励起電流が通過する。
【００１２】
直流パルス電源の電気エネルギーが小さくなりまたは切断されるときに、変圧装置Ｔ１０１のセカンダリーコイルＷＳは逆極性電気誘導エネルギーを発生して、負荷へ伝送する。
図３に示すのは本発明の第３実施例による、並列のインダクターを利用して構成する回路であり、主に、次の要素から形成される。
【００１３】
直流パルス電源ＰＰＳ１０１は交流で整流して、または直流電源をリニアにスイッチユニットで操作し制御して、パルス電源を発生させる。
インダクターＬ１０１はコイルの巻きまたは積層で作られるコーアを備える、またはコーアを備えないインダクターから構成され、電源の両端に並列に配置される。インダクターＬ１０１には回路の必要に応じて、選択的に、電流制限の抵抗Ｒ１０１を設置する。
【００１４】
負荷ＬＤ１０１は充電、放電可能な二次電池から構成する負荷やめっきタンク、電解加工電極とワークから構成する負荷やパルス電源が必要で、電源切断時または電気エネルギーが減るときに、逆極性エネルギーを入力することも必要な別の様々な負荷である。
【００１５】
導電の接点またはプラグと挿し込みコンセントとの組み合わせＰ０は、機電構造を構成する導電の接点またはプラグと挿し込みコンセントとの組み合わせである。それは必要に応じて、設置するかどうかを選択するユニットで、一端が電源側の充電電源及び相関回路に接続され、相対にカップリングしたもう一端が負荷側に接続される。
【００１６】
阻隔ダイオードＣＲ１０１はソリッドステートダイオードから構成される。順方向のように、電源の入力端に直列に接続させ、逆極性エネルギーが電源に入ることを防ぐ。ユニットは必要により、設置してもよいし、設置しなくてもよい。
図３に示す第３実施例による回路の操作プロセスは次のようになる。
【００１７】
電源ＰＰＳ１０１の電気エネルギーを入力するときに、直流電源は直接に、負荷へ伝送し、インダクターＬ１０１を安定のように抵抗性のインピーダンス状態まで励起させる。そのときに、インダクターＬ１０１は選択的に、電流の制限抵抗Ｒ１０１を設置して、共同に常態の磁気励起電流が通過する。
【００１８】
直流パルス電源の電気エネルギーが小さくなりまたは切断されるときに、インダクターＬ１０１は逆極性電気誘導エネルギーを発生して、負荷ＬＤ１０１へ伝送する。
図４は本発明の第４実施例を示し、この第４実施例の回路は図３のインダクターをさらにコンデンサーに並列に配列して構成する回路であり、主に、次の要素から形成される。
【００１９】
直流パルス電源ＰＰＳ１０１は交流で整流して、または直流電源をリニアにスイッチユニットで操作し制御して、パルス電源を発生させる。
インダクターＬ１０１はコイルの巻きまたは積層で作られるコーアを備える、またはコーアを備えないインダクターから構成され、電源の両端に並列に接続される。インダクターＬ１０１は回路の必要に応じて、選択的に、電流制限の抵抗Ｒ１０１を設置する。
【００２０】
コンデンサーＣ１０１はインダクターＬ１０１に並列に接続して、インダクターＬ１０１との相互作動で、パルス電源の周波につれて、インピーダンスを変化させる。
負荷ＬＤ１０１は充電、放電可能な二次電池から構成する負荷やめっきタンク、電解加工電極とワークから構成する負荷やパルス電源が必要で、電源切断時または電気エネルギーが減るときに、逆極性エネルギーを入力することも必要な別の様々な負荷である。
【００２１】
導電の接点またはプラグと挿し込みコンセントとの組み合わせＰ０は、機電構造を構成する導電の接点またはプラグと挿し込みコンセントとの組み合わせである。それは必要に応じて、設置するかどうかを選択するユニットで、一端が電源側の充電電源及び相関回路に接続され、相対にカップリングしたもう一端が負荷側に接続される。
【００２２】
阻隔ダイオードＣＲ１０１はソリッドステートダイオードから構成される。それを順方向のように、電源の入力端に直列に接続させ、逆極性エネルギーが電源に入ることを防ぐ。ユニットは必要により、設置してもよく、設置しなくてもよい。
【００２３】
図４に示す回路の操作プロセスは次のようになる。
電源ＰＰＳ１０１の電気エネルギーを入力するときに、直流電気エネルギーは直接に、負荷へ伝送し、インダクターＬ１０１とコンデンサーＣ１０１から形成したＬＣ並列回路を安定的に抵抗性のインピーダンス状態まで励起させる。そのときに、インダクターＬ１０１は選択的に、電流の制限抵抗Ｒ１０１を設置して、共同に常態の磁気励起電流を通過する。
【００２４】
直流パルス電源の電気エネルギーが小さくなりまたは切断されるときに、インダクターＬ１０１とコンデンサーＣ１０１から形成したＬＣ並列回路は逆極性電気誘導エネルギーを発生して、負荷ＬＤ１０１へ伝送する。
図５に示すのは本発明の第５実施例によるインダクターを直列に配置して構成する回路であり、主に、次の要素から形成される。
【００２５】
直流パルス電源ＰＰＳ１０１は交流で整流して、または直流電源をリニアにスイッチユニットで操作し制御して、パルス電源を発生させる。
インダクターＬ１０１はコイルの巻きまたは積層で作られるコーアを備える、またはコーアを備えないインダクターから構成され、電源出力端と負荷との間に直列に接続する。
【００２６】
回流抵抗Ｒ５００は抵抗性ユニットから構成され、インダクターＬ１０１と直流パルス電源ＰＰＳ１０１と接続したあとで、直流パルス電源ＰＰＳ１０１のプラス端と直流パルス電源ＰＰＳ１０１のマイナス端との間に並列に配置され、逆極性の電気エネルギーを通過させる。
【００２７】
阻隔ダイオードＣＲ１０１はソリッドステートダイオードから構成される。それを順方向のように、電源の入力端に直列に接続させ、逆極性エネルギーが電源に入ることを防ぐ。このユニットは必要により、設置してもよいし、設置しなくてもよい。
【００２８】
負荷ＬＤ１０１は充電、放電可能な二次電池から構成する負荷やめっきタンク、電解加工電極とワークから構成する負荷やパルス電源が必要で、電源切断または電気エネルギーが減るときに、逆極性エネルギーを入力することも必要な別の様々な負荷である。
【００２９】
導電の接点またはプラグと挿し込みコンセントとの組み合わせＰ０は、機電構造を構成する導電の接点またはプラグと挿し込みコンセントとの組み合わせである。それは必要に応じて、設置するかどうかを選択するユニットで、一端が電源側の充電電源及び相関回路に接続され、相対にカップリングしたもう一端が負荷側に接続される。
【００３０】
図５に示す回路の操作プロセスは次のようになる。
電源ＰＰＳ１０１の電気エネルギーを入力すると、直流電気エネルギーは直列接続したインダクターＬ１０１を経由して、負荷へ伝送する。
電源ＰＰＳ１０１の電圧が小さくなりまたは切断されるときに、インダクターＬ１０１は逆極性電気誘導エネルギーを発生し、回流抵抗Ｒ５００を経由して、負荷へ伝送する。
【００３１】
図６に示すのは本発明の第６実施例による、インダクター及びコンデンサーのＬＣ並列回路を直列に配置して構成する回路であり、主に、次の要素から形成される。
直流パルス電源ＰＰＳ１０１は交流で整流して、または直流電源をリニアにスイッチユニットで操作し制御して、パルス電源を発生させる。
【００３２】
インダクターＬ１０１はコイルの巻きまたは積層で作られるコーアを備える、またはコーアを備えないインダクターから構成され、電源出力端と負荷との間に直列に配置する。
コンデンサーＣ１０１はインダクターＬ１０１に並列に接続して、インダクターＬ１０１との相互作動で、パルス電源の周波につれて、インピーダンスを変化させる。
【００３３】
回流抵抗Ｒ５００は抵抗性ユニットから構成され、インダクターＬ１０１と直流パルス電源ＰＰＳ１０１と接続したあとで、直流パルス電源ＰＰＳ１０１のプラス端と直流パルス電源ＰＰＳ１０１のマイナス端との間に並列に接続され、逆極性の電気エネルギーを通過させる。
【００３４】
阻隔ダイオードＣＲ１０１はソリッドステートダイオードから構成される。それを順方向のように、電源の入力端に直列に接続させ、逆極性エネルギーが電源に入ることを防ぐ。ユニットは必要により、設置してもよいし、設置しなくてもよい。
【００３５】
負荷ＬＤ１０１は充電、放電可能な二次電池から構成する負荷やめっきタンク、電解加工電極とワークから構成する負荷やパルス電源が必要で、電源切断時または電気エネルギーが減るときに、逆極性エネルギーを入力することも必要な別の様々な負荷である。
【００３６】
導電の接点またはプラグと挿し込みコンセントとの組み合わせＰ０は、機電構造を構成する導電の接点またはプラグと挿し込みコンセントとの組み合わせである。それは必要に応じて、設置するかどうかを選択するユニットで、一端が電源側の充電電源及び相関回路に接続され、相対にカップリングしたもう一端が負荷側に接続される。
【００３７】
図６に示す回路の操作プロセスは次のようになる。
電源ＰＰＳ１０１の電気エネルギーを入力するときに、直流電気エネルギーはコンデンサーＣ１０１と並列に接続したインダクターＬ１０１を経由して、負荷へ伝送する。
【００３８】
電源ＰＰＳ１０１の電圧が小さくなりまたは切断されるときに、インダクターＬ１０１は逆極性電気誘導エネルギーを発生し、回流抵抗Ｒ５００を経由して、負荷へ伝送する。
以上の内容をまとめると、パルス電源の逆極性電気誘導エネルギーの発生回路は回路簡潔、低いコスト、新規な発想、適切な効果など特許の要旨にぴったり合うので、特許の請求を提出いたします。法律により、早くそれを認可いただければと願っています。
【００３９】
【発明の効果】
本発明のパルス電源の逆極性電気誘導エネルギーの発生回路は、直流パルス電源を送り入れる時に、変圧装置や負荷に並列または直列に接続したインダクターや負荷に並列または直列に配置したＬＣの並列装置を経由して、入力の直流パルスエネルギーが中断しているうちに、瞬間的に、逆極性電気誘導エネルギーを負荷へ伝送し、コストを下げ、信頼性を向上させる。
【図面の簡単な説明】
【図１】本発明の第１実施例によるパルス電源の逆極性電気誘導エネルギーの発生回路を示す回路図である。
【図２】本発明の第２実施例によるパルス電源の逆極性電気誘導エネルギーの発生回路を示す回路図である。
【図３】本発明の第３実施例によるパルス電源の逆極性電気誘導エネルギーの発生回路を示す回路図である。
【図４】本発明の第４実施例によるパルス電源の逆極性電気誘導エネルギーの発生回路を示す回路図である。
【図５】本発明の第５実施例によるパルス電源の逆極性電気誘導エネルギーの発生回路を示す回路図である。
【図６】本発明の第６実施例によるパルス電源の逆極性電気誘導エネルギーの発生回路を示す回路図である。
【符号の説明】
Ｃ１０１　　コンデンサー
ＣＲ１０１　　阻隔ダイオード
Ｌ１０１　　インダクター
ＬＤ１０１　　負荷
Ｐ０　　導電の接点またはプラグと挿し込みコンセントとの組み合わせ
ＰＰＳ１０１　　直流パルス電源
Ｒ１０１　　電流の制限抵抗
Ｒ５００　　回流抵抗
Ｔ１０１　　変圧装置
ＷＰ　　プライマリーコイル
ＷＳ　　セカンダリーコイル
【図１】
2004147476.tif 000003
【図２】
2004147476.tif 000004
【図３】
2004147476.tif 000005
【図４】
2004147476.tif 000006
【図５】
2004147476.tif 000007
【図６】
2004147476.tif 000008